(57)【要約】【課題】  制御信号を使用する視聴制御を必要に応じて行えると共に、屋外および屋内に設置して使用できるようにする。【解決手段】  着脱自在に装着できるＯ／Ｅ変換部ユニット２、電源部ユニット３、制御部ユニット４から光受信端末装置１を構成する。電源部ユニット３からの電源はＪ２１から出力され、制御部ユニット４のＪ３３とＪ３１を介してＯ／Ｅ変換部ユニット２のＪ１２から供給される。Ｏ／Ｅ変換部ユニット２において光信号がＲＦ信号に変換されて、Ｊ１１からＲＦ信号が出力される。ＲＦ信号はＪ１３からも出力されて制御部ユニット４にＪ３２から入力される。制御部ユニット４はＲＦ信号から制御信号を抽出してＪ３５から出力し、Ｏ／Ｅ変換部ユニット２はＪ１４から入力された制御信号により視聴制御される。制御部ユニット４を取り外して、電源部ユニット３をＯ／Ｅ変換部ユニット２に直接装着することができる。【選択図】  図１
2010161628.tif 000002
【特許請求の範囲】
【請求項１】
入力された光信号を電気信号に変換して出力する光受信部を少なくとも有し、一側面に前記電気信号を出力する第１ＲＦ出力端子が設けられ、前記一側面に対面する他側面に電源入力端子と、前記電気信号を出力する第１制御出力端子と、前記電気信号を前記第１ＲＦ出力端子から出力するか否かを制御する制御信号が入力可能な第１制御入力端子とが設けられているＯ／Ｅ変換部ユニットと、
第１電源通過端子、第２制御入力端子および第２制御出力端子が一側面に設けられ、前記一側面に対面する他側面に前記第１電源通過端子に直流的に接続されている第２電源通過端子および空き端子とが設けられ、前記第２制御入力端子から入力された前記電気信号から前記制御信号を抽出し、前記第２制御出力端子から前記制御信号を出力する制御回路を有する前記制御部ユニットと、
電源を出力すると共に前記電気信号が入力可能とされたＲＦ入力端子兼電源出力端子と、該ＲＦ入力端子兼電源出力端子に入力された前記電気信号を出力する第２ＲＦ出力端子とが一側面に設けられている電源部ユニットとを備え、
前記Ｏ／Ｅ変換部ユニットの他側面に前記制御部ユニットの一側面あるいは前記電源部ユニットの一側面が着脱可能とされると共に、前記制御部ユニットの他側面に前記電源部ユニットの一側面が着脱可能とされており、
前記Ｏ／Ｅ変換部ユニットの他側面に前記制御部ユニットの一側面が装着された際に、前記電源入力端子と前記第１電源通過端子、前記第１制御出力端子と前記第２制御入力端子、前記第１制御入力端子と前記第２制御出力端子とが装着され、前記制御部ユニットの他側面に前記電源部ユニットの一側面が装着された際に、前記第２電源通過端子と前記ＲＦ入力端子兼電源出力端子、前記空き端子と前記第２ＲＦ出力端子とが装着され、
前記Ｏ／Ｅ変換部ユニットの他側面に前記電源部ユニットの一側面が装着された際に、前記電源入力端子と前記ＲＦ入力端子兼電源出力端子、前記第１制御出力端子と前記第２ＲＦ出力端子とが装着されることを特徴とする光受信端末装置。
【請求項２】
前記Ｏ／Ｅ変換部ユニットの他側面に前記制御部ユニットの一側面が装着されると共に、前記制御部ユニットの他側面に前記電源部ユニットの一側面が装着された際に、前記電源部ユニットの前記ＲＦ入力端子兼電源出力端子から出力された電源が、前記制御部ユニットの前記第２電源通過端子および前記第１電源通過端子を介して前記Ｏ／Ｅ変換部ユニットの前記電源入力端子に印加されて、前記Ｏ／Ｅ変換部ユニットに電源が供給され、前記Ｏ／Ｅ変換部ユニットの前記第１制御出力端子から出力された前記電気信号が前記制御部ユニットの前記第２制御入力端子を介して前記制御回路に入力されて前記電気信号から前記制御信号が抽出され、前記第２制御出力端子から出力された前記制御信号が、前記Ｏ／Ｅ変換部ユニットの前記第１制御入力端子に入力されて、前記Ｏ／Ｅ変換部ユニットにおいて入力された前記制御信号に応じて前記第１ＲＦ出力端子から前記電気信号を出力するか否かが制御されることを特徴とする請求項１記載の光受信端末装置。
【請求項３】
前記Ｏ／Ｅ変換部ユニットの他側面に前記制御部ユニットの一側面が装着されると共に、前記Ｏ／Ｅ変換部ユニットの前記第１ＲＦ出力端子と前記電源部ユニットの前記ＲＦ入力端子兼電源出力端子とがケーブルを介して接続された際に、前記電源部ユニットの前記ＲＦ入力端子兼電源出力端子から出力された電源が、前記ケーブルおよび前記第１ＲＦ出力端子を介して前記Ｏ／Ｅ変換部ユニットに供給され、前記Ｏ／Ｅ変換部ユニットの前記第１ＲＦ出力端子から出力された前記電気信号が、前記ケーブルおよび前記ＲＦ入力端子兼電源出力端子を介して前記第２ＲＦ出力端子から出力され、前記Ｏ／Ｅ変換部ユニットの前記第１制御出力端子から出力された前記電気信号が前記制御部ユニットの前記第２制御入力端子を介して前記制御回路に入力されて前記電気信号から前記制御信号が抽出され、前記第２制御出力端子から出力された前記制御信号が、前記Ｏ／Ｅ変換部ユニットの前記第１制御入力端子に入力されて、前記Ｏ／Ｅ変換部ユニットにおいて入力された前記制御信号に応じて前記第１ＲＦ出力端子から前記電気信号を出力するか否かが制御されることを特徴とする請求項１記載の光受信端末装置。
【請求項４】
前記Ｏ／Ｅ変換部ユニットの他側面に前記電源部ユニットの一側面が装着された際に、前記電源部ユニットの前記ＲＦ入力端子兼電源出力端子から出力された電源が、前記Ｏ／Ｅ変換部ユニットの前記電源入力端子に印加されて、前記Ｏ／Ｅ変換部ユニットに電源が供給され、前記Ｏ／Ｅ変換部ユニットの前記第１ＲＦ出力端子から前記電気信号が出力されることを特徴とする請求項１記載の光受信端末装置。
【発明の詳細な説明】
【技術分野】
【０００１】
本発明は、光信号を電気信号に変換するＯ／Ｅ変換部ユニット、制御信号を発生する制御部ユニットおよび電源を供給する電源部ユニットを備える光受信端末装置に関するものである。
【背景技術】
【０００２】
近年、高速高帯域通信サービスの普及に伴い、家庭と送信局との間を光ケーブルで接続する通信サービス、例えば、ケーブルテレビ（ＣＡＴＶ）や共同受信システムが実施されている。このケーブルテレビ（ＣＡＴＶ）や共同受信システムにおいては、光ファイバーによる家庭向けのデータ通信サービスであるＦＴＴＨ（Fiber To The Home）により映像や音声の配信が行われる。この映像や音声の配信は、光受信端末装置により受信される。光受信端末装置には、光ケーブルからの光信号を光−電気信号変換して増幅し、増幅された映像や音声からなるＲＦ信号をセットトップボックスや同軸のＣＡＴＶ線路に供給するための光受信端末装置が必要となる。この光受信端末装置には、導入された光ケーブルからの光信号を電気信号に変換し、増幅して出力するＯ／Ｅ変換器が設けられている。そして、このＯ／Ｅ変換器に電源を供給する電源部が光受信端末装置に内蔵されている。
【０００３】
従来の光受信端末装置の構成を図８に示す。図８に示す光受信端末装置１００の筐体内には、Ｏ／Ｅ変換部ユニット１０１と電源部ユニット１０２とが内蔵可能とされている。Ｏ／Ｅ変換部ユニット１０１の一側面には、導入された光ケーブルからの光信号を映像や音声からなるＲＦ信号とされる電気信号に変換して出力するＲＦ出力端子Ｊ５１とＲＦ信号をモニタするモニタ出力端子Ｊ５４とが設けられており、一側面と対面する他側面には電源入力端子Ｊ５２と空き端子Ｊ５３とが設けられている。また、電源部ユニット１０２の一側面にはＲＦ信号が入力可能とされると共に、電源を出力するＲＦ入力兼電源出力端子Ｊ６１とＲＦ出力端子Ｊ６２とが設けられている。この電源部ユニット１０２からは、商用コンセントに装着されるプラグ１２２が先端に設けられた電源ケーブル１２１が引き出されている。電源部ユニット１０２のＲＦ入力兼電源出力端子Ｊ６１とＲＦ出力端子Ｊ６２とが設けられている一側面は、Ｏ／Ｅ変換部ユニット１０１の電源入力端子Ｊ５２と空き端子Ｊ５３とが設けられている一側面に着脱可能に装着することができるようにされている。装着した状態が図８に示す光受信端末装置１００の構成とされており、電源部ユニット１０２のＲＦ入力兼電源出力端子Ｊ６１は、Ｏ／Ｅ変換部ユニット１０１の電源入力端子Ｊ５２に装着され、電源部ユニット１０２のＲＦ出力端子Ｊ６２は、Ｏ／Ｅ変換部ユニット１０１の空き端子Ｊ５３に装着されて、二点鎖線で示す筐体内に内蔵されている。
【０００４】
図８に示す構成の光受信端末装置１００は、商用コンセントが設けられている屋内等に設置される場合の構成とされている。この光受信端末装置１００においては、プラグ１２２が商用コンセントに装着されて、商用交流が電源ケーブルを１２１を介して電源部ユニット１０２に供給され、電源部ユニット１０２はＲＦ入力兼電源出力端子Ｊ６１から出力した電源を、電源入力端子Ｊ５２を介してＯ／Ｅ変換部ユニット１０１に供給する。Ｏ／Ｅ変換部ユニット１０１は、電源入力端子Ｊ５２から供給された電源で動作するようになり、図示されていない光ケーブルからの光信号がＯ／Ｅ変換部ユニット１０１に入力されて、光−電気信号変換されてから増幅され、増幅された映像や音声からなるＲＦ信号がＲＦ出力端子Ｊ５１から出力される。ＲＦ出力端子Ｊ５１から出力されたＲＦ信号がテレビ等に入力される。また、このＲＦ信号をモニタするモニタ信号がモニタ出力端子Ｊ５４から出力される。従来の光受信端末装置１００は、商用コンセントが近傍に設けられていない屋外に設置する場合にも対応できる構成とされている。
【０００５】
光受信端末装置１００を屋外に設置する場合は、図９に示すように電源部ユニット１０２を光受信端末装置１００（Ｏ／Ｅ変換部ユニット１０１）から取り外して、電源部ユニット１０２だけを商用コンセントが設けられている屋内等に設置する。そして、屋外に設置した光受信端末装置１００におけるＯ／Ｅ変換部ユニット１０１のＲＦ出力端子Ｊ５１と、屋内等の離れた所に設置した電源部ユニット１０２のＲＦ入力兼電源出力端子Ｊ６１とを同軸ケーブル１４０で接続する。図９に示す構成の光受信端末装置１００においては、プラグ１２２が商用コンセントに装着されて、商用交流が電源ケーブルを１２１を介して電源部ユニット１０２に供給され、電源部ユニット１０２はＲＦ入力兼電源出力端子Ｊ６１から出力した電源を、Ｏ／Ｅ変換部ユニット１０１のＲＦ出力端子Ｊ５１を介して供給する。Ｏ／Ｅ変換部ユニット１０１では、ＲＦ出力端子Ｊ５１から供給された電源で動作するようになり、図示されていない光ケーブルからの光信号がＯ／Ｅ変換部ユニット１０１に入力されて、光−電気信号変換されてから増幅され、増幅された映像や音声からなるＲＦ信号がＲＦ出力端子Ｊ５１から出力される。ＲＦ出力端子Ｊ５１から出力されたＲＦ信号は、同軸ケーブル１４０を介して電源部ユニット１０２のＲＦ入力兼電源出力端子Ｊ６１に入力され、ＲＦ出力端子Ｊ６２から出力されるようになる。ＲＦ出力端子Ｊ６２から出力されたＲＦ信号がテレビ等に入力される。また、ＲＦ信号をモニタするモニタ信号がモニタ出力端子Ｊ５４から出力される。
【０００６】
従来の光受信端末装置１００を構成するＯ／Ｅ変換部ユニット１０１および電源部ユニット１０２の回路構成を示す回路図を図１０に示す。
図１０に示す回路図において、Ｏ／Ｅ変換部ユニット１０１は、光ケーブルからの光信号が入力されるＯ／Ｅ変換器５０を有し、Ｏ／Ｅ変換器５０において光−電気信号変換が行われた電気信号はＲＦ信号として増幅器５１に出力され、増幅器５１において所定量増幅されて出力される。増幅器５１から出力されるＲＦ信号はコンデンサＣ５１を介してＲＦ出力端子Ｊ５１から出力される。電源入力端子Ｊ５２には一端がアースされたコンデンサＣ５４の他端とダイオードＤ５２のアノードが接続されており、ダイオードＤ５２のカソードはＯ／Ｅ変換器５０および増幅器５１の電源ラインと一端がアースされたコンデンサＣ５３の他端に接続されている。また、ＲＦ出力端子Ｊ５１にはチョークコイルＬ５１の一端が接続されており、チョークコイルＬ５１の他端は一端がアースされたコンデンサＣ５２の他端とダイオードＤ５１のアノードに接続されている。そして、ダイオードＤ５１のカソードはダイオードＤ５２のカソードに接続されている。端子Ｊ５１，Ｊ５２は同軸端子とされて、同軸端子におけるアース導体はアースされており、同軸端子とされている空き端子Ｊ５３はアースされているアース導体だけで構成されて中心導体は備えていない。
【０００７】
また、電源部ユニット１０２は図示されていないプラグ１２２および電源ケーブル１２１を介して商用交流が供給される電源回路６０を有し、電源回路６０は商用交流を直流の電源に変換してダイオードＤ６１のアノードに出力している。ダイオードＤ６１のカソードは一端がアースされたコンデンサＣ６２とチョークコイルＬ６１の一端に接続され、チョークコイルＬ６１の他端は電源出力端子Ｊ６１に接続されていると共に、コンデンサＣ６１の一端に接続されている。そして、コンデンサＣ６１の他端はＲＦ出力端子Ｊ６２に接続されている。端子Ｊ６１，Ｊ６２は同軸端子とされて、同軸端子におけるアース導体はアースされている。
【０００８】
光受信端末装置１００において、図８に示すように電源部ユニット１０２の一側面をＯ／Ｅ変換部ユニット１０１の一側面に装着したとする。この場合、電源部ユニット１０２のＲＦ入力兼電源出力端子Ｊ６１およびＲＦ出力端子Ｊ６２が、Ｏ／Ｅ変換部ユニット１０１の電源入力端子Ｊ５２および空き端子Ｊ５３にそれぞれ装着される。すると、電源回路６０からダイオードＤ６１およびチョークコイルＬ６１を介してＲＦ入力兼電源出力端子Ｊ６１から出力された電源は、電源入力端子Ｊ５２からＯ／Ｅ変換部ユニット１０１に供給され、ダイオードＤ５２を介してＯ／Ｅ変換器５０および増幅器５１に動作電源として供給される。これにより、増幅器５１から出力されるＯ／Ｅ変換器５０で変換されたＲＦ信号は増幅器５１で増幅されコンデンサＣ５１を介してＲＦ出力端子Ｊ５１から出力される。このＲＦ信号はチョークコイルＬ５１で阻止されることから、ダイオードＤ５１側へは伝達されない。また、電源入力端子Ｊ５２から供給された電源はダイオードＤ５１により阻止されてチョークコイルＬ５１側へは供給されない。なお、空き端子Ｊ５３はＲＦ出力端子Ｊ６２を収容する空間を確保するための端子として作用している。
【０００９】
次に、光受信端末装置１００において、図９に示すように光受信端末装置１００におけるＯ／Ｅ変換部ユニット１０１のＲＦ出力端子Ｊ５１と、光受信端末装置１００から取り外した電源部ユニット１０２のＲＦ入力兼電源出力端子Ｊ６１とを同軸ケーブル１４０で接続したとする。すると、電源回路６０からダイオードＤ６１およびチョークコイルＬ６１を介して電源出力端子Ｊ６１から出力された電源は、同軸ケーブル１４０を介してＲＦ出力端子Ｊ５１からＯ／Ｅ変換部ユニット１０１に供給され、チョークコイルＬ５１およびダイオードＤ５１を介してＯ／Ｅ変換器５０および増幅器５１に動作電源として供給される。これにより、Ｏ／Ｅ変換器５０で変換されて増幅器５１から出力されるたＲＦ信号はコンデンサＣ５１を介してＲＦ出力端子Ｊ５１から出力される。このＲＦ信号はチョークコイルＬ５１で阻止されることから、ダイオードＤ５１側へは伝達されない。また、ＲＦ出力端子Ｊ５１に供給された電源はコンデンサＣ５１により阻止されて増幅器５１の出力側には印加されない。そして、ＲＦ出力端子Ｊ５１から出力されたＲＦ信号は同軸ケーブル１４０を介して電源部ユニット１０２のＲＦ入力兼電源出力端子Ｊ６１に入力され、入力されたＲＦ信号はチョークコイルＬ６１で阻止されると共に、コンデンサＣ６１を通過してＲＦ出力端子Ｊ６２から出力されるようになる。
【先行技術文献】
【特許文献】
【００１０】
【特許文献１】特開２００５−２７６９３７号公報
【発明の概要】
【発明が解決しようとする課題】
【００１１】
ＦＴＴＨにより音声や映像の配信を行う場合は、音声や映像信号からなるＲＦ信号に制御信号を多重して送信し、光受信端末装置１００からのＲＦ信号の出力を制御信号によりオン／オフ制御する視聴制御が従来から行われている。視聴制御を行うには、ＲＦ信号から制御信号を抽出する制御部が必要になり、制御部ではＲＦ信号から制御信号を抽出するため、制御部においてもシールド性が要求される。また、電源部ユニット１０２はＯ／Ｅ変換部ユニット１０１に対して着脱自在とされて、光受信端末装置１００内に内蔵した電源部ユニット１０２から電源を供給する構成と、光受信端末装置１００から離れた場所（屋内）に設けた電源部ユニット１０２から同軸ケーブルを介して光受信端末装置１００に電源を供給する構成とのいずれの構成でもとれることが要求される。さらに、視聴制御を行わない場合は制御部を不要とする構成が必要とされる。しかしながら、従来の光受信端末装置は制御信号を使用する視聴制御を必要に応じて行えないという問題点があった。
【００１２】
そこで、本発明は、制御信号を使用する視聴制御を必要に応じて行えると共に、屋外および屋内に設置して使用することができる光受信端末装置を提供することを目的としている。
【課題を解決するための手段】
【００１３】
上記目的を達成するために、本発明の光受信端末装置は、Ｏ／Ｅ変換部ユニットの他側面に制御部ユニットの一側面あるいは電源部ユニットの一側面が着脱可能とされると共に、制御部ユニットの他側面に電源部ユニットの一側面が着脱可能とされており、Ｏ／Ｅ変換部ユニットの他側面に制御部ユニットの一側面が装着された際に、電源入力端子と第１電源通過端子、第１制御出力端子と第２制御入力端子、第１制御入力端子と第２制御出力端子とが装着され、制御部ユニットの他側面に電源部ユニットの一側面が装着された際に、第２電源通過端子とＲＦ入力端子兼電源出力端子、空き端子と第２ＲＦ出力端子とが装着され、Ｏ／Ｅ変換部ユニットの他側面に電源部ユニットの一側面が装着された際に、電源入力端子とＲＦ入力端子兼電源出力端子、第１制御出力端子と第２ＲＦ出力端子とが装着されることを最も主要な特徴としている。
【発明の効果】
【００１４】
本発明の光受信端末装置は、Ｏ／Ｅ変換部ユニットの他側面に制御部ユニットの一側面あるいは電源部ユニットの一側面が着脱可能とされると共に、制御部ユニットの他側面に電源部ユニットの一側面が着脱可能とされるようにしたので、制御信号を使用する視聴制御を行えると共に、光受信端末装置を屋外および屋内に設置して使用することができるようになる。また、制御部ユニットとすることができることから、そのシールド性を良好にすることができる。さらに、必要に応じて制御部ユニットをＯ／Ｅ変換部ユニットから取り外して、電源部ユニットをＯ／Ｅ変換部ユニットに装着することにより、視聴制御を行わない場合は制御部ユニットを不要とすることができるようになる。
【図面の簡単な説明】
【００１５】
【図１】本発明の実施例にかかる光受信端末装置の構成を示す図である。
【図２】本発明にかかる光受信端末装置において、視聴制御を行うと共に屋内に設置する場合の構成を示す図である。
【図３】本発明にかかる光受信端末装置において、視聴制御を行うと共に電源部ユニットを取り外して屋外に設置する場合の構成を示す図である。
【図４】本発明の光受信端末装置において、視聴制御を行う場合のＯ／Ｅ変換部ユニット、電源ユニット、制御部ユニットの構成を示す回路図である。
【図５】本発明にかかる光受信端末装置において、視聴制御を行なわないと共に屋内に設置する場合の構成を示す図である。
【図６】本発明にかかる光受信端末装置において、視聴制御を行なわないと共に電源部ユニットを取り外して屋外に設置する場合の構成を示す図である。
【図７】本発明の光受信端末装置において、視聴制御を行なわない場合のＯ／Ｅ変換部ユニット、電源ユニットの構成を示す回路図である。
【図８】従来の光受信端末装置の構成を示す図である。
【図９】従来の光受信端末装置において、電源部ユニットを取り外して屋外に設置する場合の構成を示す図である。
【図１０】従来の光受信端末装置におけるＯ／Ｅ変換部ユニット、電源ユニットの構成を示す回路図である。
【発明を実施するための形態】
【００１６】
本発明の実施例にかかる光受信端末装置の構成を図１に示す。
図１に示す本発明にかかる光受信端末装置１の二点鎖線で示す筐体内には、Ｏ／Ｅ変換部ユニット２と電源部ユニット３と制御部ユニット４とが内蔵可能とされている。Ｏ／Ｅ変換部ユニット２の一側面には、導入された光ケーブルからの光信号を変換した映像や音声からなるＲＦ信号とされる電気信号を出力するＲＦ出力端子Ｊ１１とＲＦ信号をモニタするモニタ出力端子Ｊ１５とが設けられており、一側面と対面する他側面には電源入力端子Ｊ１２とＲＦ信号を出力する制御出力端子Ｊ１３と制御信号を入力する制御入力端子Ｊ１４とが設けられている。また、電源部ユニット３の一側面にはＲＦ信号が入力可能とされると共に電源を出力するＲＦ入力兼電源出力端子Ｊ２１と、ＲＦ入力兼電源出力端子Ｊ２１と高周波的に接続されているＲＦ出力端子Ｊ２２とが設けられている。この電源部ユニット３からは、商用コンセントに装着されるプラグ２２が先端に設けられた電源ケーブル２１が引き出されている。さらに、制御部ユニット４の一側面には電源通過端子Ｊ３１とＲＦ信号が入力される制御入力端子Ｊ３２と制御信号を出力する制御出力端子Ｊ３５とが設けられており、一側面と対面する他側面には電源通過端子Ｊ３１と直流的に接続されている電源通過端子Ｊ３３と空き端子Ｊ３４とが設けられている。
【００１７】
電源部ユニット３のＲＦ入力兼電源出力端子Ｊ２１とＲＦ出力端子Ｊ２２とが設けられている一側面は、制御部ユニット４の電源通過端子Ｊ３３と空き端子Ｊ３４とが設けられている他側面に着脱可能に装着することができるようにされている。また、制御部ユニット４の電源通過端子Ｊ３１と制御入力端子Ｊ３２と制御出力端子Ｊ３５とが設けられている一側面は、Ｏ／Ｅ変換部ユニット２の電源入力端子Ｊ１２と制御出力端子Ｊ１３と制御入力端子Ｊ１４とが設けられている他側面に着脱可能に装着することができるようにされている。さらに、視聴制御を必要としない場合は、制御部ユニット４を取り外して電源部ユニット３のＲＦ入力兼電源出力端子Ｊ２１とＲＦ出力端子Ｊ２２とが設けられている一側面を、Ｏ／Ｅ変換部ユニット２の電源入力端子Ｊ１２と制御出力端子Ｊ１３と制御入力端子Ｊ１４とが設けられている他側面に着脱可能に装着することができるようにされている。
【００１８】
ここで、電源部ユニット３の一側面を制御部ユニット４の他側面に装着すると共に、制御部ユニット４の一側面をＯ／Ｅ変換部ユニット２の他側面に装着した状態が図２に示す光受信端末装置１の構成とされている。この構成は、光受信端末装置１において制御信号により視聴制御を行う場合の構成とされている。この場合、電源部ユニット３のＲＦ入力兼電源出力端子Ｊ２１は制御部ユニット４の電源通過端子Ｊ３３に装着され、電源部ユニット３のＲＦ出力端子Ｊ２２は制御部ユニット４の空き端子Ｊ３４に装着される。また、制御部ユニット４の電源通過端子Ｊ３１はＯ／Ｅ変換部ユニット２の電源入力端子Ｊ１２に装着され、制御部ユニット４の制御入力端子Ｊ３２はＯ／Ｅ変換部ユニット２の制御出力端子Ｊ１３に装着され、制御部ユニット４の制御出力端子Ｊ３５はＯ／Ｅ変換部ユニット２の制御入力端子Ｊ１４に装着される。
【００１９】
図２に示す構成の光受信端末装置１は、商用コンセントが設けられている屋内等に設置する場合の構成ともされている。この光受信端末装置１においては、プラグ２２が商用コンセントに装着されて、商用交流が電源ケーブルを２１を介して電源部ユニット３に供給される。電源部ユニット３は商用交流を直流の電源に変換し、この電源をＲＦ入力兼電源出力端子Ｊ２１から出力し、制御部ユニット４の電源通過端子Ｊ３３に供給する。制御部ユニット４の他側面に設けられた電源通過端子Ｊ３３は一側面に設けられた電源通過端子Ｊ３１に直流的に接続されていることから、電源通過端子Ｊ３３に供給された電源は電源通過端子Ｊ３１から出力される。制御部ユニット４の電源通過端子Ｊ３１から出力された電源は、Ｏ／Ｅ変換部ユニット２に電源入力端子Ｊ１２を介して供給される。Ｏ／Ｅ変換部ユニット２は、電源入力端子Ｊ１２から供給された電源で動作するようになり、図示されていない光ケーブルからの光信号がＯ／Ｅ変換部ユニット２に入力されて、光−電気信号変換されてから増幅され、増幅された映像や音声からなるＲＦ信号がＲＦ出力端子Ｊ１１から出力される。ＲＦ出力端子Ｊ１１から出力されたＲＦ信号がテレビ等に入力される。また、このＲＦ信号をモニタするモニタ信号がモニタ出力端子Ｊ１５から出力される。さらに、ＲＦ信号は制御出力端子Ｊ１３から出力されて制御部ユニット４の制御入力端子Ｊ３２に入力される。制御部ユニット４では、供給されたＲＦ信号に多重された制御信号を抽出して、制御信号を制御出力端子Ｊ３５から出力する。制御出力端子Ｊ３５から出力された制御信号は、Ｏ／Ｅ変換部ユニット２の制御入力端子Ｊ１４に入力され、Ｏ／Ｅ変換部ユニット２において制御信号に応じてＲＦ出力端子Ｊ１１からＲＦ出力を出力するか否かが制御される。
【００２０】
本発明にかかる光受信端末装置１は、商用コンセントが近傍に設けられていない屋外に設置する場合にも対応できる構成とされている。本発明にかかる光受信端末装置１を屋外に設置する場合は、図３に示すように電源部ユニット３を光受信端末装置１（制御部ユニット４）から取り外して、電源部ユニット３だけを商用コンセントが設けられている屋内等に設置する。ただし、制御部ユニット４はＯ／Ｅ変換部ユニット２に装着されている。そして、屋外に設置した光受信端末装置１におけるＯ／Ｅ変換部ユニット２のＲＦ出力端子Ｊ１１と、屋内等の離れた所に設置した電源部ユニット３のＲＦ入力兼電源出力端子Ｊ２１とを同軸ケーブル４０で接続する。図３に示す構成の光受信端末装置１においては、プラグ２２が商用コンセントに装着されて、商用交流が電源ケーブルを２１を介して電源部ユニット３に供給され、電源部ユニット３はＲＦ入力兼電源出力端子Ｊ２１から出力した電源を、Ｏ／Ｅ変換部ユニット２のＲＦ出力端子Ｊ１１を介して供給する。Ｏ／Ｅ変換部ユニット２では、ＲＦ出力端子Ｊ１１から供給された電源で動作するようになり、上記したようにＯ／Ｅ変換部ユニット２に入力された光信号が、光−電気信号変換されてから増幅され、増幅された映像や音声からなるＲＦ信号がＲＦ出力端子Ｊ１１から出力される。ＲＦ出力端子Ｊ１１から出力されたＲＦ信号は、同軸ケーブル４０を介して電源部ユニット３のＲＦ入力兼電源出力端子Ｊ２１に入力され、ＲＦ入力兼電源出力端子Ｊ２１と高周波的に接続されているＲＦ出力端子Ｊ２２から出力されるようになる。ＲＦ出力端子Ｊ２２から出力されたＲＦ信号がテレビ等に入力される。また、上記したようにＲＦ信号は制御出力端子Ｊ１３から制御部ユニット４の制御入力端子Ｊ３２に入力され、制御部ユニット４において抽出された制御信号が制御出力端子Ｊ３５から出力される。この制御信号は、Ｏ／Ｅ変換部ユニット２の制御入力端子Ｊ１４に入力され、Ｏ／Ｅ変換部ユニット２において制御信号に応じてＲＦ出力端子Ｊ１１からＲＦ出力を出力するか否かが制御される。
【００２１】
本発明にかかる光受信端末装置１を構成するＯ／Ｅ変換部ユニット２、電源部ユニット３および制御部ユニット４の回路構成を示す回路図を図４に示す。
図４に示す回路図において、Ｏ／Ｅ変換部ユニット２は、光ケーブルからの光信号が入力されるＯ／Ｅ変換器１０を有し、Ｏ／Ｅ変換器１０において光−電気信号変換が行われた電気信号はＲＦ信号として増幅器１１に出力され、増幅器１１において所定量増幅されて出力される。増幅器１１から出力されるＲＦ信号はコンデンサＣ１１を介してＲＦ出力端子Ｊ１１から出力される。電源入力端子Ｊ１２はＯ／Ｅ変換器１０および増幅器１１の電源ラインに接続されており、この電源ラインには一端がアースされたコンデンサＣ１３の他端とダイオードＤ１１のカソードが接続されている。また、ＲＦ出力端子Ｊ１１にはＲＦ信号を阻止するが直流を通過させるチョークコイルＬ１１の一端が接続されており、チョークコイルＬ１１の他端は一端がアースされたコンデンサＣ１２の他端とダイオードＤ１１のアノードに接続されている。制御出力端子Ｊ１３はＯ／Ｅ変換器１０の出力が増幅器１１に入力されるラインに接続されている。ＲＦ出力端子Ｊ１１ないし制御出力端子Ｊ１３および図示が省略されているモニタ出力端子Ｊ１５は同軸端子とされて、同軸端子のアース導体はアースされており、制御入力端子Ｊ１４はシールド構造を備えていない端子とされている。
【００２２】
制御部ユニット４はＲＦ信号に多重された制御信号を抽出する制御回路３０を有し、制御回路３０には制御入力端子Ｊ３２から入力されたＲＦ信号がコンデンサＣ３１を介して入力される。制御回路３０は入力されたＲＦ信号から制御信号を抽出して制御出力端子Ｊ３５から出力する。この制御信号は、レベルがハイ（Ｈ）またはロー（Ｌ）とされた信号とされる。すなわち、制御出力端子Ｊ３５および制御入力端子Ｊ１４は高周波の信号の授受を行わないことからシールド構造を備えない端子とすることができる。制御部ユニット４の電源通過端子Ｊ３１はダイオードＤ３１のカソードおよび一端がアースされたコンデンサＣ３２の他端に接続され、ダイオードＤ３１のアノードが電源通過端子Ｊ３３に接続されて、電源通過端子Ｊ３３に供給された直流の電源が電源通過端子Ｊ３１から出力されるようになる。電源通過端子Ｊ３１ないし電源通過端子Ｊ３３は同軸端子とされて、同軸端子のアース導体はアースされている。また、同軸端子と同形状の空き端子Ｊ３４は、アース導体はアースされているが中心導体は備えていない。さらに、制御出力端子Ｊ３５はシールド構造を備えていない端子とされている。
【００２３】
電源部ユニット３は図示されていないプラグ２２および電源ケーブル２１を介して商用交流が供給される電源回路２０を有し、電源回路２０は商用交流を直流の電源に変換して逆流防止用のダイオードＤ２１のアノードに出力している。ダイオードＤ２１のカソードは一端がアースされたコンデンサＣ２２とＲＦ信号を阻止するチョークコイルＬ２１の一端に接続され、チョークコイルＬ２１の他端はＲＦ入力兼電源出力端子Ｊ２１に接続されていると共に、ＲＦ信号を通過させるコンデンサＣ２１の一端に接続されている。そして、コンデンサＣ２１の他端はＲＦ出力端子Ｊ２２に接続されている。ＲＦ入力兼電源出力端子Ｊ２１およびＲＦ出力端子Ｊ２２は同軸端子とされて、同軸端子のアース導体はアースされている。
【００２４】
光受信端末装置１において視聴制御を行うと共に商用コンセントが設けられている屋内等に設置するように、電源部ユニット３の一側面を制御部ユニット４の他側面に装着すると共に、制御部ユニット４の一側面をＯ／Ｅ変換部ユニット２の他側面に装着して、図４に示す回路図の構成で図２に示す構成としたとする。すると、電源回路２０からダイオードＤ２１およびチョークコイルＬ２１を介してＲＦ入力兼電源出力端子Ｊ２１から出力された電源は、電源通過端子Ｊ３３から制御部ユニット４に供給されて、この電源により制御回路３０が動作状態となると共に、供給された電源はダイオードＤ３１を通過して電源通過端子Ｊ３１から出力される。電源通過端子Ｊ３１から出力された電源は、電源入力端子Ｊ１２からＯ／Ｅ変換部ユニット２に供給され、Ｏ／Ｅ変換器１０および増幅器１１に動作電源として供給される。これにより、増幅器１１から出力されるＯ／Ｅ変換器１０で変換されたＲＦ信号はコンデンサＣ１１を介してＲＦ出力端子Ｊ１１から出力される。
【００２５】
また、Ｏ／Ｅ変換器１０から出力されたＲＦ信号は制御出力端子Ｊ１３から出力されて、制御入力端子Ｊ３２から制御部ユニット４に入力される。制御入力端子Ｊ３２から入力されたＲＦ信号はコンデンサＣ３１を介して制御回路３０へ入力され、制御回路３０ではＲＦ信号から制御信号を抽出して制御出力端子Ｊ３５から出力する。制御出力端子Ｊ３５から出力された制御信号は制御入力端子Ｊ１４からＯ／Ｅ変換部ユニット２に入力され、増幅器１１の電源をオン／オフするスイッチＳＷの制御信号とされる。例えば、制御信号がＨレベルの時はスイッチＳＷはオンされてＯ／Ｅ変換部ユニット２のＲＦ出力端子Ｊ１１から映像や音声からなるＲＦ信号が出力され、制御信号がＬレベルの時はスイッチＳＷはオフされてＲＦ出力端子Ｊ１１からＲＦ信号は出力されないようになる。ただし、スイッチＳＷがオフされる場合においても制御出力端子Ｊ１３からはＲＦ信号が出力し続けられるため、制御部ユニット４はＲＦ信号から抽出した制御信号をＯ／Ｅ変換部ユニット２に供給し続けることができる。このように、制御信号に応じて視聴制御が行われる。なお、増幅器１１からコンデンサＣ１１を介して出力されるＲＦ信号はチョークコイルＬ１１で阻止されることから、ダイオードＤ１１側へは伝達されない。また、電源入力端子Ｊ１２から供給された電源は逆方向とされたダイオードＤ１１により阻止されてチョークコイルＬ１１側へは供給されない。また、空き端子Ｊ３４はＲＦ出力端子Ｊ２２を収容する空間を確保するための端子として作用している。
【００２６】
次に、光受信端末装置１において視聴制御を行うと共に商用コンセントが近傍に設けられていない屋外に設置するように、電源部ユニット３を光受信端末装置１（制御部ユニット４）から取り外して、ＲＦ入力兼電源出力端子Ｊ２１とＯ／Ｅ変換部ユニット２のＲＦ出力端子Ｊ１１とを同軸ケーブル４０で接続して、図４に示す回路図の構成で図３に示す構成にしたとする。ただし、制御部ユニット４の一側面はＯ／Ｅ変換部ユニット２の他側面に装着されている。
すると、電源回路２０からダイオードＤ２１およびチョークコイルＬ２１を介してＲＦ入力兼電源出力端子Ｊ２１から出力された電源は、同軸ケーブル４０を介してＲＦ出力端子Ｊ１１からＯ／Ｅ変換部ユニット２に供給されて、この電源がチョークコイルＬ１１およびダイオードＤ１１を通過してＯ／Ｅ変換器１０および増幅器１１に動作電源として供給される。これにより、増幅器１１から出力されるＯ／Ｅ変換器１０で変換されたＲＦ信号はコンデンサＣ１１を介してＲＦ出力端子Ｊ１１から出力される。このＲＦ信号はチョークコイルＬ１１で阻止されることから、ダイオードＤ１１側へは伝達されない。また、ＲＦ出力端子Ｊ１１に供給された電源はコンデンサＣ１１により阻止されて増幅器１１の出力側には印加されない。そして、ＲＦ出力端子Ｊ１１から出力されたＲＦ信号は同軸ケーブル４０を介して電源部ユニット３のＲＦ入力兼電源出力端子Ｊ２１に入力され、入力されたＲＦ信号はチョークコイルＬ２１で阻止されると共に、コンデンサＣ２１を通過してＲＦ出力端子Ｊ２２から出力されるようになる。
【００２７】
この場合、Ｏ／Ｅ変換器１０からのＲＦ信号は制御出力端子Ｊ１３から制御部ユニット４の制御入力端子Ｊ３２に入力され、制御部ユニット４において抽出された制御信号が制御出力端子Ｊ３５から出力される。この制御信号は、制御入力端子Ｊ１４からＯ／Ｅ変換部ユニット２に入力され、増幅器１１の電源をオン／オフするスイッチＳＷの制御信号とされる。そして、制御信号のレベルに応じてスイッチＳＷが制御されるが、スイッチＳＷがオフされる場合においても制御出力端子Ｊ１３からはＲＦ信号が出力し続けられるため、制御部ユニット４はＲＦ信号から抽出した制御信号をＯ／Ｅ変換部ユニット２に供給し続けることができる。また、Ｏ／Ｅ変換部ユニット２においてダイオードＤ１１から出力される電源は電源入力端子Ｊ１２から出力されて、電源通過端子Ｊ３１を介して制御部ユニット４に供給される。この電源は制御回路３０に動作電源として供給され、制御回路３０は入力されたＲＦ信号から制御信号を抽出する動作を行うようになる。このように、制御信号に応じて視聴制御が行われる。なお、電源入力端子Ｊ１２から出力されて、電源通過端子Ｊ３１を介して制御部ユニット４に供給された電源はダイオードＤ３１により阻止されて電源通過端子Ｊ３３からは出力されない。
【００２８】
ところで、本発明にかかる光受信端末装置１において視聴制御を行わない場合もある。このような場合は、図５に示すように制御部ユニット４を取り外して電源部ユニット３を直接Ｏ／Ｅ変換部ユニット２に装着する。この場合、電源部ユニット３のＲＦ入力兼電源出力端子Ｊ２１はＯ／Ｅ変換部ユニット２の電源入力端子Ｊ１２に装着され、電源部ユニット３のＲＦ出力端子Ｊ２２はＯ／Ｅ変換部ユニット２の制御出力端子Ｊ１３に装着される。また、Ｏ／Ｅ変換部ユニット２の制御入力端子Ｊ１４には端子は装着されない。図５に示す構成の光受信端末装置１は、商用コンセントが設けられている屋内等に設置する場合の構成とされている。この光受信端末装置１においては、プラグ２２が商用コンセントに装着されて、商用交流が電源ケーブルを２１を介して電源部ユニット３に供給される。電源部ユニット３は商用交流を直流の電源に変換し、この電源をＲＦ入力兼電源出力端子Ｊ２１から出力する。出力された電源は、電源入力端子Ｊ１２を介してＯ／Ｅ変換部ユニット２に供給される。Ｏ／Ｅ変換部ユニット２は、電源入力端子Ｊ１２から供給された電源で動作するようになり、図示されていない光ケーブルからの光信号がＯ／Ｅ変換部ユニット２に入力されて、光−電気信号変換されてから増幅され、増幅された映像や音声からなるＲＦ信号がＲＦ出力端子Ｊ１１から出力される。また、このＲＦ信号をモニタするモニタ信号がモニタ出力端子Ｊ１５から出力される。なお、制御入力端子Ｊ１４には制御信号が印加されないため、スイッチＳＷはオン状態となり増幅器１１には電源が常時供給されるようになる。
【００２９】
また、視聴制御を行わない本発明の光受信端末装置１を屋外に設置する場合は、図６に示すように電源部ユニット３を光受信端末装置１（Ｏ／Ｅ変換部ユニット２）から取り外して、電源部ユニット３を商用コンセントが設けられている屋内等に設置する。そして、屋外に設置した光受信端末装置１におけるＯ／Ｅ変換部ユニット２のＲＦ出力端子Ｊ１１と、屋内等の離れた所に設置した電源部ユニット３のＲＦ入力兼電源出力端子Ｊ２１とを同軸ケーブル４０で接続する。図６に示す構成の光受信端末装置１においては、プラグ２２が商用コンセントに装着されて、商用交流が電源ケーブルを２１を介して電源部ユニット３に供給され、電源部ユニット３はＲＦ入力兼電源出力端子Ｊ２１から出力した電源を、Ｏ／Ｅ変換部ユニット２のＲＦ出力端子Ｊ１１を介して供給する。Ｏ／Ｅ変換部ユニット２では、ＲＦ出力端子Ｊ１１から供給された電源で動作するようになり、上記したようにＯ／Ｅ変換部ユニット２に入力された光信号が、光−電気信号変換されてから増幅され、増幅された映像や音声からなるＲＦ信号がＲＦ出力端子Ｊ１１から出力される。ＲＦ出力端子Ｊ１１から出力されたＲＦ信号は、同軸ケーブル４０を介して電源部ユニット３のＲＦ入力兼電源出力端子Ｊ２１に入力され、ＲＦ入力兼電源出力端子Ｊ２１と高周波的に接続されているＲＦ出力端子Ｊ２２から出力されるようになる。なお、制御入力端子Ｊ１４には制御信号が印加されないため、スイッチＳＷはオン状態となり増幅器１１には電源が常時供給されるようになる。
【００３０】
視聴制御を行わない場合の本発明における光受信端末装置１の回路構成を示す回路図を図７に示す。図７に示す回路図において、Ｏ／Ｅ変換部ユニット２および電源部ユニット３の回路は図４に示す回路と同様であるので、その説明は省略する。
ここで、光受信端末装置１において視聴制御を行なわないと共に商用コンセントが設けられている屋内等に設置するように、電源部ユニット３の一側面をＯ／Ｅ変換部ユニット２の他側面に装着して、図７に示す回路図の構成で図５に示す構成としたとする。すると、電源回路２０からダイオードＤ２１およびチョークコイルＬ２１を介してＲＦ入力兼電源出力端子Ｊ２１から出力された電源は、電源入力端子Ｊ１２からＯ／Ｅ変換部ユニット２に供給され、Ｏ／Ｅ変換器１０および増幅器１１に動作電源として供給される。これにより、増幅器１１から出力されるＯ／Ｅ変換器１０で変換されたＲＦ信号はコンデンサＣ１１を介してＲＦ出力端子Ｊ１１から出力される。なお、制御入力端子Ｊ１４には制御信号が印加されないため、スイッチＳＷはオン状態となり増幅器１１には電源が常時供給されるようになる。なお、増幅器１１からコンデンサＣ１１を介して出力されるＲＦ信号はチョークコイルＬ１１で阻止されることから、ダイオードＤ１１側へは伝達されない。また、電源入力端子Ｊ１１から供給された電源は逆方向とされたダイオードＤ１１により阻止されてチョークコイルＬ１１側へは供給されない。
【００３１】
次に、光受信端末装置１において視聴制御を行なわないと共に商用コンセントが近傍に設けられていない屋外に設置するように、電源部ユニット３をＯ／Ｅ変換部ユニット２から取り外して、ＲＦ入力兼電源出力端子Ｊ２１とＯ／Ｅ変換部ユニット２のＲＦ出力端子Ｊ１１とを同軸ケーブル４０で接続して、図７に示す回路図の構成で図６に示す構成にしたとする。
すると、電源回路２０からダイオードＤ２１およびチョークコイルＬ２１を介してＲＦ入力兼電源出力端子Ｊ２１から出力された電源は、同軸ケーブル４０を介してＲＦ出力端子Ｊ１１からＯ／Ｅ変換部ユニット２に供給されて、この電源がチョークコイルＬ１１およびダイオードＤ１１を通過してＯ／Ｅ変換器１０および増幅器１１に動作電源として供給される。これにより、増幅器１１から出力されるＯ／Ｅ変換器１０で変換されたＲＦ信号はコンデンサＣ１１を介してＲＦ出力端子Ｊ１１から出力される。このＲＦ信号はチョークコイルＬ１１で阻止されることから、ダイオードＤ１１側へは伝達されない。また、ＲＦ出力端子Ｊ１１に供給された電源はコンデンサＣ１１により阻止されて増幅器１１の出力側には印加されない。そして、ＲＦ出力端子Ｊ１１から出力されたＲＦ信号は同軸ケーブル４０を介して電源部ユニット３のＲＦ入力兼電源出力端子Ｊ２１に入力され、入力されたＲＦ信号はチョークコイルＬ２１で阻止されると共に、コンデンサＣ２１を通過してＲＦ出力端子Ｊ２２から出力されるようになる。なお、制御入力端子Ｊ１４には制御信号が印加されないため、スイッチＳＷはオン状態となり増幅器１１には電源が常時供給されるようになる。
【産業上の利用可能性】
【００３２】
本発明にかかる光受信端末装置は、ＣＡＴＶや共同受信システムに使用する光受信端末装置に限るものではなく、光信号を受信する光受信端末装置であれば適用することができる。なお、本発明にかかる光受信端末装置は、視聴制御を行う場合と行わない場合に兼用することができると共に、商用コンセントが近傍にない場所にも設置することができるものとされている。
【符号の説明】
【００３３】
１  光受信端末装置、２  Ｏ／Ｅ変換部ユニット、３  電源部ユニット、４  制御部ユニット、１０  Ｏ／Ｅ変換器、１１  増幅器、２０  電源回路、２１  電源ケーブル、２２  プラグ、３０  制御回路、４０  同軸ケーブル、５０  Ｏ／Ｅ変換器、５１  増幅器、６０  電源回路、１００  光受信端末装置、１０１  Ｏ／Ｅ変換部ユニット、１０２  電源部ユニット、１２１  電源ケーブル、１２２  プラグ、１４０  同軸ケーブル、Ｊ１１  ＲＦ出力端子、Ｊ１１  電源入力端子、Ｊ１２  電源入力端子、Ｊ１３  制御出力端子、Ｊ１４  制御入力端子、Ｊ１５  モニタ出力端子、Ｊ２１  入力兼電源出力端子、Ｊ２２  ＲＦ出力端子、Ｊ３１  電源通過端子、Ｊ３２  制御入力端子、Ｊ３３  電源通過端子、Ｊ３４  空き端子、Ｊ３５  制御出力端子、Ｊ５１  ＲＦ出力端子、Ｊ５２  電源入力端子、Ｊ５３  空き端子、Ｊ５４  モニタ出力端子、Ｊ６１  入力兼電源出力端子、Ｊ６１  電源出力端子、Ｊ６２  ＲＦ出力端子
【図１】
2010161628.tif 000003
【図２】
2010161628.tif 000004
【図３】
2010161628.tif 000005
【図４】
2010161628.tif 000006
【図５】
2010161628.tif 000007
【図６】
2010161628.tif 000008
【図７】
2010161628.tif 000009
【図８】
2010161628.tif 000010
【図９】
2010161628.tif 000011
【図１０】
2010161628.tif 000012